(57)【要約】【課題】組み立てが容易であって、コンパクトなコネクタを提供する。【解決手段】複数の電線８１を接続対象機器に接続するコネクタ１であって、一方に、接続対象機器と接続する端子部７１が形成され、他方に、電線と接続する電線接続部７２が形成された、形状の異なる複数のコンタクト７と、端子部７１を一列に配置するとともに電線接続部７２を複数列に配置し、かつ、複数列の夫々の配置位置を、コネクタ１の接続方向に沿って複数の位置に設定するよう複数のコンタクト７を保持するコンタクト保持部材３と、前記接続方向に沿って異なる位置に配置され、電線８１を保持するとともに電線８１と電線接続部７２とを接続する少なくとも二つの電線保持部材４とを備えた。【選択図】図３
2008084799.tif 000002
【特許請求の範囲】
【請求項１】
複数の電線を接続対象機器に接続するコネクタであって、
一方に、前記接続対象機器と接続する端子部が形成され、他方に、前記電線と接続する電線接続部が形成された、形状の異なる複数のコンタクトと、
前記端子部を一列に配置するとともに前記電線接続部を複数列に配置し、かつ、前記複数列の夫々の配置位置を、前記コネクタの接続方向に沿って複数の位置に設定するよう前記複数のコンタクトを保持するコンタクト保持部材と、
前記接続方向に沿って異なる位置に配置され、前記電線を保持するとともに当該電線と前記電線接続部とを接続する少なくとも二つの電線保持部材とを備えたコネクタ。
【請求項２】
前記電線保持部材が、第１電線保持部材と当該第１電線保持部材よりも前記端子部から離間して配置される第２電線保持部材とを有し、
前記第１電線保持部材に保持される前記電線を通過させる案内穴部若しくは切り欠き部を、前記第２電線保持部材に設けた請求項１に記載のコネクタ。
【請求項３】
前記電線保持部材が第１電線保持部材と当該第１電線保持部材よりも前記端子部から離間して配置される第２電線保持部材とを有し、
前記第１電線保持部材にて前記電線と接続する第１電線接続部と、前記第２電線保持部材にて前記電線と接続する第２電線接続部とが互いに千鳥状に配置され、前記第２電線接続部が、前記第１電線保持部材に形成された電線接続部貫通穴部を貫通して、前記第２電線保持部材に達するように構成してある請求項１又は２に記載のコネクタ。
【請求項４】
前記電線保持部材に、前記電線を嵌着する電線保持溝部と、当該電線保持溝部に対して垂直な方向から前記電線接続部を挿入する電線接続部挿入溝部とが形成してある請求項１〜３の何れか一項に記載のコネクタ。
【請求項５】
前記電線接続部に、前記電線を狭持する一対の圧接端子を備えた請求項１〜４の何れか一項に記載のコネクタ。
【発明の詳細な説明】
【技術分野】
【０００１】
本発明は、複数の電線を接続対象機器に接続するコネクタであって、一方に、前記接続対象機器と接続する端子部が形成され、他方に、前記電線と接続する電線接続部が形成された複数のコンタクトと、前記複数のコンタクトを保持するコンタクト保持部材と、前記電線を保持するとともに当該電線と前記電線接続部とを接続する電線保持部材とを備えたコネクタに関する。
【背景技術】
【０００２】
電子機器や電気機器では、複数本の電線を束ねた多芯電線により機器間の接続が行われる。
従来、このようなコネクタとして、例えば特許文献１に記載されたものが公知である。このコネクタは、樹脂製の本体及び前記本体の幅方向に複数のコンタクトを並列して保持している。このコンタクトの先端部には接続対象に接続される接続端子部が形成してあり、後端部には電線の電線が接続される電線圧接部が形成してある。この電線圧接部に電線が圧接されて、コンタクトと電線とが接続される。
【０００３】
【特許文献１】特開平８−１０６９３７号公報
【発明の開示】
【発明が解決しようとする課題】
【０００４】
ところで、この種のコネクタにおいて、省スペース化を図りつつ多数のコンタクトを設けるために、コンタクト間の間隔を小さく設定したい場合がある。
しかし、上述のコネクタでは、一列に配置された各コンタクトの電線圧接部が一列に配置され、電線の延在方向における同位置で、電線圧接部に電線が接続される。
このため、コンタクト間の距離を小さく設定すると、電線圧接部間の距離も小さくなり、コネクタの組み立てが困難になる。また、コンタクトを配置する際に、その配置間隔を電線の外径よりも小さく設定することができず、十分にコンパクト化を図ることができない場合があった。
【０００５】
本発明は、上述の問題点に鑑みてなされたものであり、その目的は、組み立てが容易であって、コンパクトなコネクタを提供することにある。
【課題を解決するための手段】
【０００６】
本発明の第１特徴構成は、複数の電線を接続対象機器に接続するコネクタであって、一方に、前記接続対象機器と接続する端子部が形成され、他方に、前記電線と接続する電線接続部が形成された、形状の異なる複数のコンタクトと、前記端子部を一列に配置するとともに前記電線接続部を複数列に配置し、かつ、前記複数列の夫々の配置位置を、前記コネクタの接続方向に沿って複数の位置に設定するよう前記複数のコンタクトを保持するコンタクト保持部材と、前記接続方向に沿って異なる位置に配置され、前記電線を保持するとともに当該電線と前記電線接続部とを接続する少なくとも二つの電線保持部材とを備えた点にある。
【０００７】
本構成のように、端子部が一列に配置されるとともに電線接続部が複数列に配置されることにより、一列あたりに配置される電線接続部の個数を減少させることができるので、端子部間の距離を小さく設定した場合であっても同列に配置された電線接続部間のスペースを確保することができる。また、複数列の夫々の配置位置を前記コネクタの接続方向に沿って複数の位置に配置することにより、列毎のスペースを確保することができる。
上述の結果、電線接続部と電線との接続のためのスペースを確保しつつコンパクトで組み立てが容易なコネクタを提供することができる。
【０００８】
本発明の第２特徴構成は、前記電線保持部材が、第１電線保持部材と当該第１電線保持部材よりも前記端子部から離間して配置される第２電線保持部材とを有し、前記第１電線保持部材に保持される前記電線を通過させる案内穴部若しくは切り欠き部を、前記第２電線保持部材に設けた点にある。
【０００９】
本構成のように、第１電線保持部材に保持される電線を通過させる案内穴部若しくは切り欠き部を、前記第２電線保持部に設けることにより、前記案内穴部若しくは切り欠き部を介して電線を第１電線保持部材に保持することとなる。この結果、前記案内穴部又は前記切り欠き部により、電線が第１電線保持部材の側に確実に案内され保持される。
【００１０】
本発明の第３特徴構成は、前記電線保持部材が第１電線保持部材と当該第１電線保持部材よりも前記端子部から離間して配置される第２電線保持部材とを有し、前記第１電線保持部材にて前記電線と接続する第１電線接続部と、前記第２電線保持部材にて前記電線と接続する第２電線接続部とが互いに千鳥状に配置され、前記第２電線接続部が、前記第１電線保持部材に形成された電線接続部貫通穴部を貫通して、前記第２電線保持部材に達するように構成してある点にある。
【００１１】
本構成のように、第２電線接続部が、第１電線保持部材に形成された電線接続部貫通穴部を貫通して、第２電線保持部材に達するように構成することにより、電線接続部貫通穴部が第２電線接続部を第２電線保持部材の側に案内する。このため、第２電線接続部の位置決めが確実になり、コネクタの組立作業が容易になる。
また、コンタクトのうち第２電線接続部の近傍の部分が電線接続部貫通穴部内に保持されることとなるので、コンタクトの変形等を防止することができ、コネクタの耐久性を向上させることができる。
【００１２】
本発明の第４特徴構成は、前記電線保持部材に、前記電線を嵌着する電線保持溝部と、当該電線保持溝部に対して垂直な方向から前記電線接続部を挿入する電線接続部挿入溝部とが形成してある点にある。
【００１３】
本構成のように、電線保持部材に電線を嵌着する電線保持溝部を形成することにより、電線が確実に電線保持部材に保持される。また、電線保持溝部に対して垂直な方向から前記電線接続部を挿入する電線接続部挿入溝部が形成してあるので、電線接続部が電線に対して垂直な方向から当接するよう案内される。このため、電線接続部と電線との接続が確実になり、コネクタの信頼性を高めることができる。
【００１４】
本発明の第５特徴構成は、前記電線接続部に、前記電線を狭持する一対の圧接端子を備えた点にある。
【００１５】
本構成のように電線接続部が一対の圧接端子を有することにより、電線と電線接続部との接続を確実にすることができるので、コネクタの信頼性を高めることができる。
【発明を実施するための最良の形態】
【００１６】
以下、本発明の実施形態の一例について図面に基づいて説明する。
本発明に係るコネクタ１は、図１及び図２に示すように、一端に接続対象機器に接続する接続部３１が形成してあり、他端に複数の電線８１を纏めたケーブル８が延在し、複数の電線８１を接続対象機器に対して電気的に接続する。このコネクタ１は、本体２・コンタクト７・シールドケース９・カバー１０を備える。本体２は、コンタクト保持部材３及び電線保持部材４から構成される。
また、電線保持部材４は、第１電線保持部材５及び第２電線保持部材６の二つの電線保持部材から構成される。
コンタクト７を保持したコンタクト保持部材３に、複数の電線８１を保持した第１電線保持部材５及び第２電線保持部材６が接続されている。また、このコンタクト保持部材３と第１電線保持部材５及び第２電線保持部材６とが金属製のシールドケース７で覆ってあり、さらにシールドケース９が絶縁性のカバー１０で覆ってある。
【００１７】
図３に示すようにコンタクト７には、一端側に電線８１と接続する電線接続部７２が形成され、他端側に前記接続対象機器と接続する端子部７１が形成してある。本実施形態では、端子部７１が一列に配置されるとともに電線接続部７２が４列に配置されるように４種類のコンタクト７ａ，７ｂ，７ｃ，７ｄを備える。
【００１８】
図３〜図５に示すように、コンタクト保持部材３の一端には端子部７１が一列に保持されて、接続対象への接続部３１が形成してある。また、コンタクト保持部３の他端には、電線接続部７２が突出配置してあるとともに、第１電線保持部材５及び第２電線保持部材６を係合するための凹部３２が形成してある。また、図５に示すように、図中上方から１列目の電線接続部７２ａ及び４列目の電線接続部７２ｄに比較して、２列目の電線接続部７２ｂ及び３列目の電線接続部７２ｃの方が遠方まで延在している。このうち、電線接続部７２ａ，７２ｄを第１電線接続部と称し、電線接続部７２ｂ，７２ｃを第２電線接続部と称する。また、これらの電線接続部７２ａ，７２ｂ，７２ｃ，７２ｄは千鳥状に配置されている。
【００１９】
上述のように、端子部７１が一列に配置されるとともに電線接続部７２が複数列に配置されることにより、一列あたりに配置される電線接続部７２の個数を減少させることができる。このため、接続端子７１の間の距離を小さく設定した場合であっても、同列に配置された電線接続部７２の間のスペースを確保することができる。また、全ての電線接続部７２の列がコネクタ１の接続方向に沿って同じ位置に配置されるのではなく、本構成のように、例えば第１電線接続部７２ａ，７２ｄと、第２電線接続部７２ｂ，７２ｃとで、配置位置を異ならせることにより、列毎のスペースを確保することができる。
【００２０】
図２及び図３に示すように、第１電線保持部材５の一方の面には幅方向に沿って電線８１を案内する電線案内穴部５２が形成してある。他方の面には電線８１が嵌合する電線保持溝部５１が、前記電線案内穴部５２に対して垂直に連通するように形成してある。また、第１電線保持部材５には第２電線接続部７２ｂ，７２ｃが貫通する電線接続部貫通穴部５３が、電線案内穴部５２を挟んで１列ずつ、計２列断続的に形成してある。電線保持溝部５１と電線接続部貫通穴部５３とは、互いに千鳥状に配置してある。
【００２１】
図２及び図３に示すように、第２電線保持部材６には、幅方向に沿って延在し電線８１を案内する案内穴部６２が形成してある。前記第２電線保持部材６の一方の面には、電線８１が嵌着する電線保持溝部６１が前記案内穴部６２に対して垂直に連通するように形成してある。
【００２２】
図２及び図３に示すように、第１電線保持部材５及び第２電線保持部材６において、電線保持溝部５１，６１の幅は電線８１の径よりやや狭く設定してある。また、電線保持溝部５１，６１の幅は、電線接続部７２の幅よりもやや小さい幅に設定してある。
第１電線保持部材５及び第２電線保持部材６においては、電線接続部７２を連通する電線接続部挿入溝部５５，６５が、電線保持溝部５１，６１を横断する状態に形成してある。この電線接続部挿入溝部５５，６５に、電線接続部７２が、電線保持溝部５１，６１に対して垂直な方向から挿入される。また、この電線接続部挿入溝部５５，６５の高さは、電線接続部７２の厚さよりもやや小さく設定してある。これにより、電線接続部挿入溝部５５，６５に電線接続部７２を挿入した際に、電線接続部７２が確実に保持される。
【００２３】
図２及び図３に示すように、第１電線保持部材５には、第２電線保持部材６の案内穴部６２を通過して延在する電線８１が保持される。この電線８１は前記案内穴部６２を通過した後、第１電線保持部材５の案内穴部５２を介して電線保持溝部５１に嵌着される。
本実施形態では、第１電線保持部材５には、１０本の電線８１が、案内穴部５２を挟んで上方向に５本及び下方向に５本、分配されて保持される。
第２電線保持部材６に保持される電線８１は、案内穴部６２を介して、当該案内穴部６２に連通する電線保持溝部６１に嵌着される。本実施形態では、第２電線保持部材には、９本の電線８１が、案内穴部６２を挟んで上方向に５本及び下方向に４本、分配されて保持される。
【００２４】
上述のように、第１電線保持部材５に保持される電線８１を、第２電線保持部材６に設けた案内穴部６２若しくは切り欠き部を通過させるので、前記案内穴部６２又は前記切り欠き部により電線８１が第１電線保持部材５の側に案内され、確実に保持される。
【００２５】
図２，図３及び図８は、コンタクト保持部材３と第１電線保持部材５及び第２電線保持部材６との係合構造を示す。凹部３２の第１電線保持部材５と対向する面には、係合穴部３３ａ，３３ｂ，３３ｃが形成してある。第１電線保持部材５には、係合穴部５４ａ，５４ｂ，５４ｃが形成してある。また、第２電線保持部材６には、第１電線保持部材５の係合穴部３３ａ，３３ｂ，３３ｃ及びコンタクト保持部材３の５４ａ，５４ｂ，５４ｃに挿入される係合突起部６４ａ，６４ｂ，６４ｃが形成してある。
【００２６】
これにより、コンタクト保持部材３の凹部３２に、第１電線保持部材５及び第２電線保持部材６が、接続部３１の側から見て、第１電線保持部材５・第２電線保持部材６の順に接続される。
【００２７】
このとき、図６及び図７に示すように、１列目及び４列目の第１電線接続部７２ａ，７２ｄが、第１電線保持部５の電線接続部挿入溝部５５に挿入され、第１電線保持部材５に保持された電線８１に接続される。
一方、２列目及び３列目の第２電線接続部７２ｂ，７２ｃは、図４及び図５に示すように、第１電線保持部材５の電線接続部貫通穴部５３を貫通して、第２電線保持部材６の電線接続部挿入溝部６５に挿入され、第２電線保持部材６に保持された電線８１に接続される。
【００２８】
このように、電線接続部貫通穴部５３が第２電線接続部７２ｂ，７２ｃを第２電線保持部材６の側に案内するよう構成することで、第２電線接続部７２ｂ，７２ｃの位置決めが確実になり、コネクタ１の組立作業が容易になる。
また、コンタクト７のうち第２電線接続部７２ｂ，７２ｃの近傍の部分が電線接続部貫通穴部５３の内部に保持されることとなるので、コンタクト７の変形等を防止することができ、コネクタ１の耐久性を向上させることができる。
【００２９】
図３及び図８に示すように、コンタクト保持部材３の凹部３２の第１電線保持部材５と対向する面には、電線保持溝部５１の位置に対応して突起部３４が形成してある。また、第１電線保持部材５の第２電線保持部材６と対向する面には、電線保持溝部６１の位置に対応して突起部５６が形成してある。この突起部３４，５６が電線８１に当接して、電線８１を電線保持溝部５１，６１の内部に確実に保持する。
【００３０】
図２及び図３に示すように、夫々の電線接続部７２はフォーク状の圧接端子で形成してある。フォーク状部分の隙間寸法は、電線８１の導線８１ｂの外径よりやや小さく設定してある。図４，図５，図６及び図７に示すように、コンタクト保持部材３・第１電線保持部材５・第２電線保持部材６を接続する際、電線接続部７２が、電線保持溝部５１，６１に嵌着された電線８１に対して垂直な方向から電線接続部挿入溝部５５に挿入されて、電線８１を狭持する。これにより、圧接端子が電線８１の絶縁体８１ａを切り破って導線８１ｂと接触し、電線接続部７２と電線８１とが電気的に接続される。
【００３１】
上述のように、第１電線保持部材５及び第２電線保持部材６に、電線８１を嵌着する電線保持溝部５１，６１を形成することにより、電線８１が確実に両電線保持部材５，６に保持される。また、電線保持溝部５１，６１の延在方向と垂直な方向に延在する電線接続部挿入溝部５５，６５に電線接続部７２が挿入されるので、電線接続部７２が電線８１に対して垂直な方向から当接するよう案内される。このため、電線接続部７２と電線８１との接続が確実になり、コネクタ１の信頼性を高めることができる。
【００３２】
［別実施形態１］
上述の実施形態では、第１電線保持部材５及び第２電線保持部材６の２つの電線保持部材４を用いて、電線８１の延在方向における２位置に分配して電線８１と電線接続部７２とを接続する例を示したが、上述の実施形態に限られるものではない。
本実施形態では、図１１に示すように、端子部７１が一列に配置されるとともに、電線接続部７２が６列に配置されるように、６種類のコンタクト７を備えている。また、電線保持部材４が、第１電線保持部材５、第２電線保持部材６及び第３電線保持部材１１から構成される。
【００３３】
１列目及び６列目の電線接続部７２ｅ，７２ｊは、第１電線保持部材５に保持される電線８１に接続される。２列目及び５列目の電線接続部７２ｆ，７２ｉは、第１電線保持部材５を貫通して、第２電線保持部材６に保持された電線８１に接続される。また、３列目及び４列目の電線接続部７２ｇ，７２ｈは、第１電線保持部材５及び第２電線保持部材６を貫通して、第３電線保持部材１１に保持された電線８１に接続される。
【００３４】
［別実施形態２］
電線保持部材４の個数及び一列あたりの電線接続部７２の個数は上述の実施形態に限定されるものではなく、適宜変更可能である。
【産業上の利用可能性】
【００３５】
本発明は、電気機器及び電子機器などを接続対象機器に電気的に接続するコネクタとして利用可能である。
【図面の簡単な説明】
【００３６】
【図１】本発明に係るコネクタの一例を示す斜視図
【図２】本発明に係るコネクタの要部を示す分解斜視図
【図３】本発明に係るコネクタの要部を示す分解斜視図
【図４】図５のＩＶ−ＩＶ断面図
【図５】図８のＶ−Ｖ断面図
【図６】図７のＶＩ−ＶＩ断面図
【図７】図８のＶＩＩ−ＶＩＩ断面図
【図８】コンタクト保持部材の断面図
【図９】第１電線保持部材の断面図
【図１０】本発明に係るコネクタの上面図
【図１１】本発明の別実施形態を示す図
【符号の説明】
【００３７】
１      コネクタ
３      コンタクト保持部材
４      電線保持部材
５      第１電線保持部材
５１    電線保持溝部
５３    電線接続部貫通穴部
５５    電線接続部挿入溝部
６      第２電線保持部材
６１    電線保持溝部
６２    案内穴部
６５    電線接続部挿入溝部
７      コンタクト
７１    端子部
７２    電線接続部
７２ａ  第１電線接続部
７２ｄ  第１電線接続部
７２ｂ  第２電線接続部
７２ｃ  第２電線接続部
８１    電線
【図１】
2008084799.tif 000003
【図２】
2008084799.tif 000004
【図３】
2008084799.tif 000005
【図４】
2008084799.tif 000006
【図５】
2008084799.tif 000007
【図６】
2008084799.tif 000008
【図７】
2008084799.tif 000009
【図８】
2008084799.tif 000010
【図９】
2008084799.tif 000011
【図１０】
2008084799.tif 000012
【図１１】
2008084799.tif 000013